(57)【要約】      （修正有） 【課題】人工膀胱、人工肛門等の装着設置手術を受けたオストメイトが身体表面部のストーマを介して外部に装着するパウチを着けたまま入浴できるパウチカバーを提供する。【解決手段】カバー１は、撥水性の布によりパウチ全体を覆う形状に形成され、カバーの表布（体表面側の布）には、パウチの孔部が位置する部分に、ストーマに概略該当する大きさの開口部を設け、開口部下端から左右それぞれにフラップ部８，９を設け、フラップ部をカバーの裏布３（体表面反対側の布）に交差させパウチを内装するポケット部とするものにおいて、表布のプラップ部の底部と裏布の底部とを水抜き部１０を設けて相互に重ね合わせ留め具１１により固着するように形成する。【選択図】図３
0003185023.tif 000002
【実用新案登録請求の範囲】
【請求項１】
人工膀胱、人工肛門等の装着設置手術を受けた患者が身体表面部のストーマを介して外部に装着するパウチを着けたまま入浴するためのカバーであって、該カバーは、撥水性の布によりパウチ全体を覆う形状に形成され、カバーの表布（体表面側の布）には、パウチの孔部が位置する部分に、ストーマに概略該当する大きさの開口部を設け、前記開口部下端から左右それぞれにフラップ部を設け、前記フラップ部をカバーの裏布（体表面反対側の布）に交差させパウチを内装するポケット部とするものにおいて、前記表布のプラップ部の底部と裏布の底部とを水抜き部を設けて相互に重ね合わせ留め具により固着することを特徴とするパウチポケット。
【請求項２】
前記表布の開口部下端から一方向のみにフラップ部を設け、パウチを内装するポケット部とするものにおいて、前記フラップ部を裏布の側部下方位置において留め具により固着することを特徴とする請求項１記載のパウチポケット。 
【考案の詳細な説明】
【技術分野】
【０００１】
本考案は、人工膀胱、人工肛門等の装着設置手術を受けた患者が身体表面部のストーマを介して外部に装着するパウチを着けたまま入浴するためのカバーに関する。
【背景技術】
【０００２】
病気や障害が原因で、腹部に孔を空けて人工的に作られた人工膀胱、人工肛門等を持っている「オストメイト」と称される多くの人がいる、腹部に取り付けられている人工膀胱、人工肛門等を総称して「ストーマ」と称される。オストメイトが入浴する際には、パウチが露出するため、オストメイトにとっては入浴はストレスを感じる時であり、健常者には理解できない苦しさもあり、入浴をストレスなく行えるよう求められている。
【先行技術文献】
【特許文献】
【０００３】
【特許文献１】特許第４２３４１８８号公報
【考案の概要】
【考案が解決しようとする課題】
【０００４】
しかしながら、特許文献１のパウチカバーは布製であり、入浴には適さないものである。本考案は、入浴時にパウチをカバーするとともに、防水性に富み見栄えも良く、オストメイトがストレスなく楽しんで入浴をすることが可能となることを課題とする。
【課題を解決するための手段】
【０００５】
上記課題を解決するための手段として、本考案は請求項１として、人工膀胱、人工肛門等の装着設置手術を受けた患者が身体表面部のストーマを介して外部に装着するパウチを着けたまま入浴するためのカバーであって、該カバーは、撥水性の布によりパウチ全体を覆う形状に形成され、カバーの表布（体表面側の布）には、パウチの孔部が位置する部分に、ストーマに概略該当する大きさの開口部を設け、前記開口部下端から左右それぞれにフラップ部を設け、前記フラップ部をカバーの裏布（体表面反対側の布）に交差させパウチを内装するポケット部とするものにおいて、前記表布のフラップ部の底部と裏布の底部とを水抜き部を設けて相互に重ね合わせ留め具により固着するパウチポケットである。
【０００６】
本考案の請求項２として、前記表布の開口部下端から一方向のみにフラップ部を設け、パウチを内装するポケット部とするものにおいて、前記フラップ部を裏布の側部下方位置において留め具により固着することを特徴とする請求項１記載のパウチポケット。 
【考案の効果】
【０００７】
本考案によるパウチポケットは、入浴時のパウチの保護及び他人に不快な思いをさせないことを目的とする目隠しの働きがあり、オストメイトが温泉等に入浴する際に人に裸体を見せることにより不快な思いをさせないで入浴することができる効果がある。
【０００８】
又、パウチを二つ折りなどに小さく畳んでパウチポケットに収納することができるとともに、パウチポケットの底部に水抜き部を設けてあるので、外観上スマートな感じがするとともに、ストーマの位置に合わせパウチポケットのフラップ部の方向を選択して使用することができる効果がある。
【図面の簡単な説明】
【０００９】
【図１】本考案のパウチポケットの正面図
【図２】本考案のパウチポケットの背面図
【図３】本考案のパウチポケットの一実施例の背面図
【図４】本考案の使用態様を説明する図
【図５】本考案のパウチポケットの他の実施例の背面図
【考案を実施するための形態】
【００１０】
以下、図面を参照して本考案のパウチポケットの一実施態様を説明する。
図１は本考案の実施態様に係るオストメイト用パウチカバー１の外観を示す、図２はその背面側を示す。本考案のパウチカバー１は裏布３に表布フラップＡ８と表布フラップＢ９を上部２から側部４に渡りそれぞれ側方で縫着又は溶着されている。
【００１１】
表布フラップＡ８と表布フラップＢ９の開口部７の周辺は補強部６として折り返しそれぞれ縫着又は溶着されている。
【００１２】
図３から図５により各部材を説明する。図示しないパウチを表布開口部７に折り畳んで収納し、表布フラップＡ８を留め具１１に合わせ固着させるとともに表布フラップＢ９を前記表布フラップＡ８の留め具１１に重ね合わせ固着させる。このものは、裏布３のほぼ中央で表布フラップＡ８と表布フラップＢ９を重ね合わせることができる。
【００１３】
又、前記表布フラップＡ８、前記表布フラップＢ９により形成される前記開口部７の周縁は形崩れ防止とほつれ等が生じないように折り返し縫着又は溶着されている。前記裏布３、前記表布フラップＡ８、前記表布フラップＢ９により形成される底部５、側部４においても前記底５、前記側部４の周縁は形崩れ防止とほつれ等が生じないように折り返し縫着又は溶着されている。
【００１４】
図３、図４のものは、表布３に対し、ほぼ中央位置で表布フラップＡ８、表布フラップＢ９を重ね合わせるもので、パウチを折り畳んで収納する際に、左右の両手を使うことができ、パウチの位置に関係なくパウチカバー１の取扱いを容易に行うことができる。
【００１５】
図５のものは、表布３に対し、右側位置で表布フラップＡ８、表布フラップＢ９を重ね合わせるもので、例えば脳梗塞等により片方の手が不自由な場合や、ストーマの位置が左側にある時には、片手でパウチを折り畳んで収納することができ、パウチカバー１の取扱いを容易に行うことができる。
【００１６】
表布フラップＡ８、表布フラップＢ９には、表布３底部５、側部４に設けた留め具１１に着脱可能に係合する他の留め具１１が複数個設けられている。本考案では、面テープを留め具としているが、ホックやホタンであっても良い。又、表布フラップＡ８、表布フラップＢ９の重ね合わせ部にも留め具１１を設けてあり、パウチがパウチカバー１から脱落する恐れもない。
【００１７】
裏布３、表布フラップＡ８、表布フラップＢ９により形成される底部５、側部４には、水抜き部１１が複数箇所設け、入浴中においても前記パウチカバー１内に湯水が溜まったときでも、水抜き部１１から瞬時に湯水が抜けるので、違和感がなく、快適に入浴することができる。又、入浴時において、直接湯の温度等からパウチを保護することができる。
【００１８】
又、入浴中にパウチに排泄物が溜まったときでも、パウチカバー１により覆い隠すことができ、パウチに溜まった排泄物を速やかにトイレ等で処理することができ、快適に入浴を継続することができる。
【００１９】
本考案のパウチカバー１は、入浴時の使用を意図しており、裏布３、表布フラップＡ８、表布フラップＢ９等の素材は、ナイロン等の防水性・撥水性の生地で形成することが望ましい。ポリプロピレン等の樹脂製でも好適である。又、水分を軽く拭き取るだけで繰り返し使用することができるので経済的である。
【００２０】
本考案のパウチカバー１は、入浴時等において、直接パウチが人の目にふれないように目隠しを目的としたポケット形態に構成したので、オストメイトが健常者等と一緒に温泉等に入浴することができ、精神衛生上極めて効果が大きく、オストメイトへの福音となるものである。
【符号の説明】
【００２１】
１    パウチカバー
２    上部
３    裏布
４    側部
５    底部
６    補強部
７    開口部
８    表布フラップ部Ａ
９    表布フラップ部Ｂ
１０    水抜き部
１１    留め具  
【図１】
0003185023.tif 000003
【図２】
0003185023.tif 000004
【図３】
0003185023.tif 000005
【図４】
0003185023.tif 000006
【図５】
0003185023.tif 000007